(57)【要約】【課題】シールドトンネルのようにトンネル壁面が箱抜き出来ないような場合でも、設置状態で前面側に突出するのを抑制できる消火栓装置を得ることを目的としている。【解決手段】本発明の消火栓装置１は、トンネル壁面８１に設置されるものであって、ホース１１を収納するホース収納部１３を内蔵する本体部３と、本体部３の前面に設けられた前面パネル５とを有する筐体７を備え、本体部３の背面の全体又は所定高さより下の部分が、上方から下方に向かう方向で、かつ背面側から前面側に向かって傾斜する傾斜面部９になっていることを特徴とするものである。【選択図】  図１
2017205497.tif 000002
【特許請求の範囲】
【請求項１】
トンネル内の壁面に設置される消火栓装置であって、
ホースを収納するホース収納部を内蔵する本体部と、該本体部の前面に設けられた前面パネルとを有する筐体を備え、
前記本体部の背面の全体又は所定高さより下の部分が、上方から下方に向かう方向で、かつ背面側から前面側に向かって傾斜する傾斜面部になっていることを特徴とする消火栓装置。
【請求項２】
前記本体部の背面は、背面側の上端から所定距離は垂直壁であり、その下方が傾斜面部になっていることを特徴とする請求項１記載の消火栓装置。
【請求項３】
トンネル内の壁面に設置される消火栓装置であって、
ホースを収納するホース収納部を内蔵する本体部と、該本体部の前面に設けられた前面パネルとを有する筐体を備え、
前記本体部の背面の全体又は所定高さより上の部分が、下方から上方に向かう方向で、かつ背面側から前面側に向かって傾斜する傾斜面部になっていることを特徴とする消火栓装置。
【請求項４】
前記本体部の背面は、背面側の下端から所定距離は垂直壁であり、その上方が傾斜面部になっていることを特徴とする請求項３記載の消火栓装置。
【請求項５】
トンネル内の壁面に設置される消火栓装置であって、
ホースを収納するホース収納部を内蔵する本体部と、該本体部の前面に設けられた前面パネルとを有する筐体を備え、
前記本体部の背面の全体又は上下から所定範囲の部分において、上側では上方に向かう方向で、かつ背面側から前面側に向かって傾斜する傾斜面部になっており、下側では下方に向かう方向で、かつ背面側から前面側に向かって傾斜する傾斜面部になっていることを特徴とする消火栓装置。
【請求項６】
前記本体部の背面の全体又は左右両側から所定の範囲の部分が、左右両側から中央に向かう方向で、かつ前面側から背面側に向かって傾斜する傾斜面部になっていることを特徴とする請求項１乃至５のいずれか一項に記載の消火栓装置。
【請求項７】
トンネル内の壁面に設置される消火栓装置であって、
ホースを収納するホース収納部を内蔵する本体部と、該本体部の前面に設けられた前面パネルとを有する筐体を備え、
前記本体部の背面の全体又は左右両側から所定の範囲の部分が、左右両側から中央に向かう方向で、かつ前面側から背面側に向かって傾斜する傾斜面部になっていることを特徴とする消火栓装置。
【請求項８】
前記傾斜面部は、平面からなることを特徴とする請求項１乃至７のいずれか一項に記載の消火栓装置。
【請求項９】
前記傾斜面部は、湾曲面からなることを特徴とする請求項１乃至７のいずれか一項に記載の消火栓装置。
【請求項１０】
前記筐体をトンネル内の壁面に取り付ける取り付け部材を有し、該取付部材は、前記トンネルの壁面に固定される固定部を有すると共に前記筐体の底面を支持するブラケットからなることを特徴とする請求項１乃至９のいずれか一項に記載の消火栓装置。
【発明の詳細な説明】
【技術分野】
【０００１】
本発明は、トンネル等に設置される消火栓装置に関する。
【背景技術】
【０００２】
トンネル等に設置される消火栓装置は、例えば特許文献１に開示されたように、消火栓本体を「トンネル壁面に形成された箱抜き部分」に設置していた。
【０００３】
しかしながら、最近の大口径のトンネルはシールド工法によって構築されることが多く、この場合、トンネルの壁面がトンネルの掘削と同時に鋼製のセグメントで構築されるため、特許文献１に開示されているような箱抜きをすることができない。
【先行技術文献】
【特許文献】
【０００４】
【特許文献１】特開２０１５−４４０３９号公報
【発明の概要】
【発明が解決しようとする課題】
【０００５】
消火栓装置をトンネル壁面に取り付ける場合、監視員通路から操作ができる高さに取り付けられる。
ところが、シールドトンネルの壁面は、セグメントがむき出しになっており、湾曲した状態になっている。そのため、矩形箱形の筐体を有する消火栓装置をシールドトンネルの壁面に取り付けようとすると、筐体の下部がシールド壁面と干渉して、消火栓装置が監視員通路側に突出せざるを得なくなり、監視員通路の通行の妨げになる。
【０００６】
本発明はかかる課題を解決するためになされたものであり、例えばシールドトンネルのようにトンネル壁面が箱抜き出来ないような場合でも、設置状態で前面側に突出するのを抑制できる消火栓装置を得ることを目的としている。
【課題を解決するための手段】
【０００７】
（１）本発明に係る消火栓装置は、トンネル内の壁面に設置されるものであって、
ホースを収納するホース収納部を内蔵する本体部と、該本体部の前面に設けられた前面パネルとを有する筐体を備え、前記本体部の背面の全体又は所定高さより下の部分が、上方から下方に向かう方向で、かつ背面側から前面側に向かって傾斜する傾斜面部になっていることを特徴とするものである。
【０００８】
（２）また、上記（１）に記載のものにおいて、前記本体部の背面は、背面側の上端から所定距離は垂直壁であり、その下方が傾斜面部になっていることを特徴とするものである。
【０００９】
（３）また、ホースを収納するホース収納部を内蔵する本体部と、該本体部の前面に設けられた前面パネルとを有する筐体を備え、前記本体部の背面の全体又は所定高さより上の部分が、下方から上方に向かう方向で、かつ背面側から前面側に向かって傾斜する傾斜面部になっていることを特徴とするものである。
【００１０】
（４）また、上記（３）に記載のものにおいて、前記本体部の背面は、背面側の下端から所定距離は垂直壁であり、その上方が傾斜面部になっていることを特徴とするものである。
【００１１】
（５）また、ホースを収納するホース収納部を内蔵する本体部と、該本体部の前面に設けられた前面パネルとを有する筐体を備え、前記本体部の背面の全体又は上下から所定範囲の部分において、上側では上方に向かう方向でかつ背面側から前面側に向かって傾斜する傾斜面部になっており、下側では下方に向かう方向で、かつ背面側から前面側に向かって傾斜する傾斜面部になっていることを特徴とするものである。
【００１２】
（６）また、上記（１）乃至（５）のいずれかに記載のものにおいて、前記本体部の背面の全体又は左右両側から所定の範囲の部分が、左右両側から中央に向かう方向で、かつ前面側から背面側に向かって登り傾斜となる傾斜面部になっていることを特徴とするものである。
【００１３】
（７）また、ホースを収納するホース収納部を内蔵する本体部と、該本体部の前面に設けられた前面パネルとを有する筐体を備え、前記本体部の背面の全体又は左右両側から所定の範囲の部分が、左右両側から中央に向かう方向で、かつ前面側から背面側に向かって傾斜する傾斜面部になっていることを特徴とするものである。
【００１４】
（８）また、上記（１）乃至（７）のいずれかに記載のものにおいて、前記傾斜面部は、平面からなることを特徴とするものである。
【００１５】
（９）また、上記（１）乃至（７）のいずれかに記載のものにおいて、前記傾斜面部は、湾曲面からなることを特徴とするものである。
【００１６】
（１０）また、上記（１）乃至（９）のいずれかに記載のものにおいて、前記筐体をトンネル内の壁面に取り付ける取り付け部材を有し、該取付部材は、前記トンネルの壁面に固定される固定部を有すると共に前記筐体の底面を支持するブラケットからなることを特徴とするものである。
【発明の効果】
【００１７】
本発明に係る消火栓装置は、トンネル内の壁面に設置されるものであって、
ホースを収納するホース収納部を内蔵する本体部と、該本体部の前面に設けられた前面パネルとを有する筐体を備え、前記本体部の背面の全体又は所定高さより下の部分が、上方から下方に向かう方向で、かつ背面側から前面側に向かって傾斜する傾斜面部になっていることにより、トンネル壁面に箱抜きしないで取り付けた場合でも、設置状態でトンネル壁面より前面側に突出するのを抑制でき、監視員通路の脇に設置した場合には、監視員通路に要求される通行幅を確保することができる。
【図面の簡単な説明】
【００１８】
【図１】本発明の実施の形態１に係る消火栓装置の斜視図である。
【図２】図１に示した消火栓装置の側面図である。
【図３】図１に示した消火栓装置の背面側の斜視図である。
【図４】図１に示した消火栓装置の内部構造を説明する説明図である。
【図５】図１に示した消火栓装置の設置状態を説明する斜視図である。
【図６】図１に示した消火栓装置の設置状態を説明する側面図である。
【図７】図１に示した消火栓装置をシールドトンネル壁面に設置する際に使用するブラケットの説明図である。
【図８】図１に示した消火栓装置の他の態様の説明図である。
【図９】図８に示した消火栓装置の設置状態を説明する側面図である。
【図１０】本発明の実施の形態２に係る消火栓装置の側面図である。
【図１１】本発明の実施の形態２に係る消火栓装置の背面側の斜視図である。
【図１２】図１０に示した消火栓装置の設置状態を説明する斜視図である。
【図１３】図１０に示した消火栓装置の設置状態を説明する側面図である。
【図１４】図１０に示した消火栓装置の他の態様の説明図である。
【図１５】図１４に示した消火栓装置の設置状態を説明する側面図である。
【図１６】本発明の実施の形態３に係る消火栓装置の側面図である。
【図１７】図１６に示した消火栓装置の設置状態を説明する側面図である。
【図１８】本発明の実施の形態４に係る消火栓装置の側面図である。
【図１９】図１８に示した消火栓装置の他の態様の側面図である。
【図２０】本発明の実施の形態５に係る消火栓装置の側面図である。
【図２１】図２０に示した消火栓装置の平面図である。
【図２２】本発明の実施の形態５に係る消火栓装置の他の態様の側面図である。
【図２３】図２２に示した消火栓装置の平面図である。
【発明を実施するための形態】
【００１９】
［実施の形態１］
本実施の形態に係る消火栓装置１は、図５、図６に示すように、シールドトンネル内のトンネル壁面８１に設置されるものであって、図１に示すように、消火用のホース等の内部機器類を収納する本体部３と、本体部３の前面に設けられた前面パネル５を有する筐体７を備えている。
以下、消火栓装置１を構成する各部について詳細に説明する。
【００２０】
＜筐体＞
本実施の形態における筐体７は、上述のように本体部３と前面パネル５を有し、全体形状は、図１〜図３に示すように、奥行きの方向の長さが短い（薄い）略直方体形状をしている。
筐体７を奥行きの長さが短い形状にしているのは、シールドトンネルのトンネル壁面８１（図５、図６参照）に、直接設置した際に、トンネル壁面８１より前方への突出を小さくするためである。
【００２１】
《本体部》
本体部３は、図２、図３に示すように、その背面が、所定高さより下の部分が、上方から下方に向かう方向で、かつ背面側から前面側に向かって傾斜する傾斜面部９になっている。
本実施の形態では、所定高さは、背面の下側の１／４〜１/３程度であり、これよりも下の部分が、傾斜面部９であり、これより上の部分は垂直面になっている。言い換えれば、本体部３の背面側の上方から所定距離は垂直壁であり、その下方が傾斜面部９となっている。また、本実施の形態の傾斜面部９は平面である。平面にすることで、製作が容易であるという効果がある。
【００２２】
本体部３の背面側に傾斜面部９を設けることで、シールドトンネルのトンネル壁面８１に壁掛け式で設置するときに、シールドトンネルのトンネル壁面８１との干渉を避けて、消火栓装置１がトンネル壁面８１からの突出をできるだけ小さくすることができる（図５、図６参照）。
【００２３】
本体部３の内部には、図４に示すように、内巻きに巻き回されたホース１１を収納するホース収納部１３および消火器１５を収納する消火器収納部１７が設けられている。なお、図４は、本体部３の内部構造の概要を説明する概略図であり、詳細の部品等は省略されているが、他の主な部品としては、消火栓弁を操作するための操作レバー（図示なし）や、ホース１１の先端に設けられた消火ノズル１４を所定の位置に保持するためのノズルホルダ（図示なし）が設けられている。また、ホース１１の収納形態も内巻きに限られず、例えばリールに巻き付けるリール式でも良い。
操作レバー及びノズルホルダを設ける位置は、後述する筐体７の前面扉２３から操作者が操作等できる位置に設ける。
【００２４】
《前面パネル》
前面パネル５の外形は、本体部３の開口部よりも大きく設定され、前面パネル５の外周部には、本体部３側に向かって屈曲して、本体部３の開口端の周縁を覆う屈曲片部１９が全周に亘って設けられている。
屈曲片部１９を設けることで、雨水等が本体内部に浸入するのを防止できる。
【００２５】
また、前面パネル５には、ホース収納部１３の前面側には前面開口部２１が設けられ、前面開口部２１には前面扉２３が設けられている。
また、消火器収納部１７の前面側には消火器箱前面開口部２５が設けられ、消火器箱前面開口部２５には横開き式の消火器箱前面扉２７が設けられている。
【００２６】
前面扉２３を開扉することで、操作レバーの操作が可能で、かつノズルホルダに保持されている消火ノズル１４を取り外してホース１１を引き出すことが可能になっている。
また、消火器箱前面扉２７を開扉することで、内部に載置されている消火器１５を取り出すことが可能になっている。
【００２７】
なお、前面扉２３、消火器箱前面扉２７の開放方式は特定のものに限定されるものではなく、前面扉２３を引戸式や回動式、あるいは消火器箱前面扉２７を下降式（シャッター式）や回動式等種々の方式を採用することができる。
【００２８】
また、前面パネル５には、赤色表示灯２９、非常時を監視員に知らせるための非常ボタン３１、非常ボタン３１を押したときに点灯する非常ランプ３３が設けられている。
【００２９】
次に、上記のように構成された本実施の形態の消火栓装置１の設置方法及び設置状態について図５〜図７に基づいて説明する。
消火栓装置１は、図５、図６に示すように、トンネル壁面８１における、車道８５に併設された監視員通路８３上から操作可能な高さ位置に、ブラケット等の取り付け部材によって固定する。本実施の形態の例では、消火栓装置１の底面を支持する底面支持ブラケット３５と、消火栓装置１の背面の上部を支持する背面ブラケット３７によって取り付けられている。
【００３０】
図７においては、底面支持ブラケット３５と背面ブラケット３７の理解を容易にするため、底面支持ブラケット３５及び背面ブラケット３７のみをシールドトンネルのトンネル壁面８１に設けた状態を図示している。
なお、底面支持ブラケット３５及び背面ブラケット３７は、シールドトンネルの壁面側に設けて、消火栓装置１の本体部３を固定してもよいし、消火栓装置側に設けて、シールドトンネル側に固定するようにしてもよい。
【００３１】
消火栓装置１をトンネル壁面８１に取り付けた状態では、図６に示すように、監視員通路８３とシールドトンネルとの境界部分から消火栓装置１がほとんど突出しない状態に設置することができる。
すなわち、本体部３の下部を傾斜面部９とすることで、シールドトンネルのトンネル壁面８１との干渉を避けて消火栓装置１の監視員通路８３側への突出を小さくすることでき、監視員通路８３に要求される通行幅を確保することができる。
【００３２】
なお、消火栓装置１をシールドトンネルのトンネル壁面８１に取り付ける際に、本体部３のどの部位を支持するかに関し、本体部３の底面、両側面、背面、及び上面が考えられるが、本実施の形態のように、底面と背面の組合せでもよいし、これらの組合せに限らず、底面と両側面、底面と上面、両側面と背面、両側面と上面という組合せでもよいし、底面、両側面、背面、上面のいずれか一カ所のみでもよく、また三カ所以上の組み合わせでも良い。
【００３３】
なお、上記の説明では、傾斜面部９が平面であったが、図８に示すように、シールドトンネルのトンネル壁面８１の湾曲に沿うような湾曲面にしてもよい。
湾曲面とすることで、図９に示すように、設置状態でシールドトンネルのトンネル壁面８１との干渉をより効果的に避けることができる。
なお、実施の形態１では、シールドトンネルのトンネル壁面８１に消火栓装置１を設けるものとして説明したが、本発明の消火栓装置はシールドトンネル以外のトンネル壁面に取り付けることもできる。例えば、シールド工法によらないトンネルの施工方法としては、山岳工法等が挙げられ、この場合、一般的には消火栓装置を埋め込む箱抜きを設けることが多いが、本発明の消火栓装置であれば、箱抜きを設けなくても設置することができるので、トンネルの施工の手間が省ける。
【００３４】
［実施の形態２］
実施の形態１においては、本体部３の背面の下部側の一部を傾斜面部９にした例を示したが、図１０、図１１に示す本実施の形態の消火栓装置３９のように、背面の上端から下端に至る全体を傾斜面部９にしてもよい。
このようにすることで、図１２、図１３に示すように、設置状態において、シールドトンネルのトンネル壁面８１に沿って設置が可能になる。
なお、図１３と図６を比較すると理解できるように、本実施の形態のように背面の全体を傾斜面部９とすることで、本体部３の上部の厚みを図６の場合よりも厚くすることができる。このため、本体部３の内部空間を広くして、内部機器の配置の自由度を増すことができる。
なお、図１２に示す例は、本体部３の底面のみで支持する例を示しているが、取り付け方法に関しては、実施の形態１で述べたのと同様に多様な取り付け方法を選択できる。
【００３５】
背面側の全体を傾斜面部９にする場合であっても、図１４に示すように、傾斜面部９の全体をシールドトンネルのトンネル壁面８１の湾曲に沿うような湾曲面にしてもよい。
湾曲面にすることで、図１５に示すように、シールドトンネルのトンネル壁面８１により沿わせることができ、本体部３の内部の空間をより大きくすることができ、内部機器の設置がよりやり易くなるという効果がある。
【００３６】
［実施の形態３］
実施の形態１、２においては、本体部３の背面の全体又は所定高さより下の部分が傾斜面部９になっているものを示したが、図１６、図１７に示す消火栓装置４１ように、本体部３の背面の所定高さより上の部分が、下方から上方に向かう方向で、かつ背面側から前面側に向かって傾斜する傾斜面部９になっているものであってもよい。つまり、図１６、図１７のものは、本体部３における背面側の下端から所定距離は垂直壁であり、その上方が傾斜面部９になっている。
【００３７】
背面の形状をこのようにすることで、図１７に示すように、トンネル壁面８１が監視員通路８３から垂直に立ちあがって、その後湾曲するような場合において、設置状態でトンネル壁面８１との干渉を効果的に避けることができる。
【００３８】
なお、本実施の形態の消火栓装置４１においても、傾斜面部９を平面のみならず湾曲面にしてもよい。
また、図１６、図１７に示す例は、本体部３の背面の所定高さより上の部分を傾斜面部９にしたものであるが、本体部３の背面の全体を下方から上方に向かう方向で、かつ背面側から前面側に向かって傾斜する傾斜面部にしてもよい。この態様のものは、例えばトンネル壁面が監視員通路から内側に湾曲して立ち上がるような場合に好適である。
この場合においても、傾斜面部は平面でも湾曲面でもよい。
【００３９】
［実施の形態４］
本実施の形態に係る消火栓装置４３は、図１８に示すように、本体部３の背面の上下から所定範囲の部分において、上側では上方に向かう方向でかつ背面側から前面側に向かって傾斜する傾斜面部９になっており、下側では下方に向かう方向で、かつ背面側から前面側に向かって傾斜する傾斜面部９になっていることを特徴とするものである。
つまり、図１８に示すように、本体部３の背面の中央部は垂直壁となっており、その上側と下側にそれぞれ傾斜面部９が形成されている。
【００４０】
背面の形状をこのようにすることで、例えばトンネル径が小さい、あるいは消火栓装置４３の高さ方向の長さが長い等の場合であっても、消火栓装置４３の背面の上下部とトンネル壁面８１との干渉を効果的に避けることができる。
【００４１】
また、背面の形状を、垂直壁を設けることなく、図１９に示す消火栓装置４５のように、上側の傾斜面部９と下側の傾斜面部９によって構成し、背面全体が傾斜面部９で構成されるようにしてもよい。この場合、上側の傾斜面部９と下側の傾斜面部９の占める面積や傾斜角度は同じであってもよいし、異なっていてもよい。
なお、本実施の形態の消火栓装置４３、４５においても、傾斜面部９を平面のみならず湾曲面にしてもよい。
【００４２】
［実施の形態５］
本実施の形態の消火栓装置４７は、図２０、図２１に示すように、本体部３の背面の左右両側から所定の範囲の部分が、左右両側から中央に向かう方向で、かつ、前面側から背面側に向かって傾斜（すなわち、登り傾斜）する傾斜面部９になっていることを特徴とするものである。
つまり、図２１に示すように、本体部３の背面の中央部は垂直壁となっており、その左右両側に傾斜面部９が形成されている。
【００４３】
背面の形状をこのようにすることの利点は以下の通りである。
例えば道路がカーブしている場合、当然ながらトンネルも道路に沿ってカーブするが、このような場合において、トンネルが曲がっている箇所に消火栓装置を設置すると消火栓装置の背面の左右両側がトンネル壁面と干渉することになる。この点、本実施の形態の消火栓装置４７であれば、背面の両側が傾斜面部９となっていることで、背面における左右両側に近いほど背面側への出っ張りが小さくなっているので、トンネル壁面８１との干渉を効果的に避けることができる。
【００４４】
なお、背面の形状を、垂直壁を設けることなく、左右の傾斜面部９によって構成し、背面全体が傾斜面部９で構成されるようにしてもよい。この場合、左側の傾斜面部９と右側の傾斜面部９の占める面積や傾斜角度は同じであってもよいし、異なっていてもよい。さらには、左右のいずれか一方のみに傾斜する傾斜面部であってもよい。
【００４５】
また、図２２、図２３に示す消火栓装置４９のように、左右の傾斜面部９に加えて、上下に傾斜面部９を形成するようにしてもよい。
このようにすることで、本体部３における背面の四隅の背面側への出っ張りが最も少なくなり、この部位でのトンネル壁面８１との干渉を防止できる。
消火栓装置は、通常トンネルの傾斜（登り傾斜、下り傾斜）に合わせて設置されるが、例えば、トンネル内が登り傾斜或いは下り傾斜であって、この傾斜角度が所定以上の場合、消火栓装置を傾斜に合わせるのではなく水平に設置することがある。このような場合には、本体部３の背面の四隅の部分においてトンネル壁面８１との干渉が問題となる場合があり、本実施の形態の消火栓装置４９はこのような場合にも干渉を避けられるので好適である。
【００４６】
なお、上下左右に傾斜面部９を設ける場合においても、垂直壁を設けることなく、上下左右の傾斜面部９によって構成し、背面全体が傾斜面部９で構成されるようにしてもよい。この場合、各傾斜面部９の占める面積や傾斜角度は同じであってもよいし、異なっていてもよい。
また、本実施の形態の消火栓装置４７、４９においても、傾斜面部９を平面のみならず湾曲面にしてもよい。
【符号の説明】
【００４７】
＜実施の形態１＞
１  消火栓装置
３  本体部
５  前面パネル
７  筐体
９  傾斜面部
１１  ホース
１３  ホース収納部
１４  消火ノズル
１５  消火器
１７  消火器収納部
１９  屈曲片部
２１  前面開口部
２３  前面扉
２５  消火器箱前面開口部
２７  消火器箱前面扉
２９  赤色表示灯
３１  非常ボタン
３３  非常ランプ
３５  底面支持ブラケット
３７  背面ブラケット
＜実施の形態２＞
３９  消火栓装置
＜実施の形態３＞
４１  消火栓装置
＜実施の形態４＞
４３  消火栓装置
４５  消火栓装置（他の態様）
＜実施の形態５＞
４７  消火栓装置
４９  消火栓装置（他の態様）
＜監視員通路＞
８１  トンネル壁面
８３  監視員通路
８５  車道
【図１】
2017205497.tif 000003
【図２】
2017205497.tif 000004
【図３】
2017205497.tif 000005
【図４】
2017205497.tif 000006
【図５】
2017205497.tif 000007
【図６】
2017205497.tif 000008
【図７】
2017205497.tif 000009
【図８】
2017205497.tif 000010
【図９】
2017205497.tif 000011
【図１０】
2017205497.tif 000012
【図１１】
2017205497.tif 000013
【図１２】
2017205497.tif 000014
【図１３】
2017205497.tif 000015
【図１４】
2017205497.tif 000016
【図１５】
2017205497.tif 000017
【図１６】
2017205497.tif 000018
【図１７】
2017205497.tif 000019
【図１８】
2017205497.tif 000020
【図１９】
2017205497.tif 000021
【図２０】
2017205497.tif 000022
【図２１】
2017205497.tif 000023
【図２２】
2017205497.tif 000024
【図２３】
2017205497.tif 000025